(57)【要約】【課題】周波数間ＨＯ（ハンドオーバ）を円滑かつ安定して行うことができる移動通信システムを得る。【解決手段】周波数間ＨＯ中、ＨＯ先ＢＴＳ２は、コンプレストモードにおけるギャップで、ＨＯ元ＢＴＳ１がＨＯ元周波数にてＭＳ３に送信するデータと同一のデータをＨＯ先周波数にてＭＳ３に送信する。また、ＭＳ３は、コンプレストモードにおけるギャップで周波数をＨＯ元周波数からＨＯ先周波数に切替えて、ＭＳ３がＢＴＳ１へＨＯ元周波数にて送信するデータと同一のデータをＢＴＳ２に送信する。【選択図】　　　図１
2004088522.tif 000002
【特許請求の範囲】
【請求項１】
移動局とこの移動局が無線接続可能な移動通信網とを含み、前記移動局と前記移動通信網との間の移動通信において通信を行っていないギャップの存在する間欠通信のモードであるコンプレストモードを含む移動通信システムであって、
前記移動通信網は、周波数間ＨＯ（ハンドオーバ）の際、前記移動通信網から前記移動局へＨＯ元周波数にて送信されるデータと同一のデータを前記ギャップを利用してＨＯ先周波数にて前記移動局へ送信する送信手段を有することを特徴とする移動通信システム。
【請求項２】
前記移動局は、前記送信手段によりＨＯ元周波数及びＨＯ先周波数にて送信される互いに同一のデータを受信して合成する合成手段を有することを特徴とする請求項１記載の移動通信システム。
【請求項３】
前記移動局は、前記合成手段の出力データを基に受信品質を測定する測定手段を有し、この受信品質を基に前記移動通信網と前記移動局との間の下りリンクの送信電力制御に用いられる目標受信品質を可変制御することを特徴とする請求項２記載の移動通信システム。
【請求項４】
前記移動局は、前記周波数間ＨＯの際、前記移動局から前記移動通信網へＨＯ元周波数にて送信されるデータと同一のデータを前記ギャップを利用してＨＯ先周波数にて前記移動通信網へ送信する送信手段を有することを特徴とする請求項１〜３いずれか記載の移動通信システム。
【請求項５】
前記移動通信網を構成する複数の基地局の各々は、前記周波数間ＨＯの際のＨＯ元基地局及びＨＯ先基地局が同一の基地局であり自局がこの基地局である場合に、前記移動局の前記送信手段によりＨＯ元周波数及びＨＯ先周波数にて送信される互いに同一のデータを受信して合成する合成手段を有することを特徴とする請求項４記載の移動通信システム。
【請求項６】
前記複数の基地局の各々は、自局の前記合成手段の出力データを基に受信品質を測定する測定手段を有し、この受信品質を基に前記移動通信網と前記移動局との間の上りリンクの送信電力制御に用いられる目標受信品質を可変制御することを特徴とする請求項５記載の移動通信システム。
【請求項７】
前記移動通信網を構成する複数の基地局に接続された基地局制御装置は、前記周波数間ＨＯの際のＨＯ元基地局及びＨＯ先基地局が互いに異なる基地局である場合に、前記移動局の前記送信手段によりＨＯ元周波数及びＨＯ先周波数にて送信される互いに同一のデータをそれぞれ前記ＨＯ元基地局及び前記ＨＯ先基地局を介して受信して選択合成する選択合成手段を有することを特徴とする請求項４〜６いずれか記載の移動通信システム。
【請求項８】
前記ＨＯ元基地局及び前記ＨＯ先基地局のうち、前記選択合成手段により過去の所定期間内になされた選択合成によってデータが選択された回数が大きい基地局と前記移動局との間の上りリンクの送信電力を増加させ、データが選択された回数が小さい基地局と前記移動局との間の上りリンクの送信電力を減少させるようこれら上りリンクの送信電力制御がなされることを特徴とする請求項７記載の移動通信システム。
【請求項９】
前記移動局は、前記周波数間ＨＯの際のＨＯ先基地局が常に送信している基準信号である共通パイロット信号を前記ギャップにおいて監視する監視手段を有し、前記移動通信網及び前記移動局の前記送信手段の各々は、前記監視手段による共通パイロット信号の監視終了後に同一データの送信を開始することを特徴とする請求項４〜８いずれか記載の移動通信システム。
【請求項１０】
前記受信品質は受信ＳＩＲ（Ｓｉｇｎａｌ　ｔｏ　Ｉｎｔｅｒｆｅｒｅｎｃｅ　Ｒａｔｉｏ）であり、前記目標受信品質は目標ＳＩＲであることを特徴とする請求項３又は６記載の移動通信システム。
【請求項１１】
移動局とこの移動局が無線接続可能な移動通信網とを含み、前記移動局と前記移動通信網との間の移動通信において通信を行っていないギャップの存在する間欠通信のモードであるコンプレストモードを含む移動通信システムの周波数間ＨＯ（ハンドオーバ）方法であって、
前記移動通信網は、周波数間ＨＯの際、前記移動通信網から前記移動局へＨＯ元周波数にて送信されるデータと同一のデータを前記ギャップを利用してＨＯ先周波数にて前記移動局へ送信する送信ステップを有することを特徴とする周波数間ＨＯ方法。
【請求項１２】
前記移動局は、前記送信ステップによりＨＯ元周波数及びＨＯ先周波数にて送信される互いに同一のデータを受信して合成する合成ステップを有することを特徴とする請求項１１記載の周波数間ＨＯ方法。
【請求項１３】
前記移動局は、前記合成ステップによる合成データを基に受信品質を測定する測定ステップを有し、この受信品質を基に前記移動通信網と前記移動局との間の下りリンクの送信電力制御に用いられる目標受信品質を可変制御することを特徴とする請求項１２記載の周波数間ＨＯ方法。
【請求項１４】
前記移動局は、前記周波数間ＨＯの際、前記移動局から前記移動通信網へＨＯ元周波数にて送信されるデータと同一のデータを前記ギャップを利用してＨＯ先周波数にて前記移動通信網へ送信する送信ステップを有することを特徴とする請求項１１〜１３いずれか記載の周波数間ＨＯ方法。
【請求項１５】
前記移動通信網を構成する複数の基地局の各々は、前記周波数間ＨＯの際のＨＯ元基地局及びＨＯ先基地局が同一の基地局であり自局がこの基地局である場合に、前記移動局の前記送信ステップによりＨＯ元周波数及びＨＯ先周波数にて送信される互いに同一のデータを受信して合成する合成ステップを有することを特徴とする請求項１４記載の周波数間ＨＯ方法。
【請求項１６】
前記複数の基地局の各々は、自局の前記合成ステップによる合成データを基に受信品質を測定する測定ステップを有し、この受信品質を基に前記移動通信網と前記移動局との間の上りリンクの送信電力制御に用いられる目標受信品質を可変制御することを特徴とする請求項１５記載の周波数間ＨＯ方法。
【請求項１７】
前記移動通信網を構成する複数の基地局に接続された基地局制御装置は、前記周波数間ＨＯの際のＨＯ元基地局及びＨＯ先基地局が互いに異なる基地局である場合に、前記移動局の前記送信ステップによりＨＯ元周波数及びＨＯ先周波数にて送信される互いに同一のデータをそれぞれ前記ＨＯ元基地局及び前記ＨＯ先基地局を介して受信して選択合成する選択合成ステップを有することを特徴とする請求項１４〜１６いずれか記載の周波数間ＨＯ方法。
【請求項１８】
前記ＨＯ元基地局及び前記ＨＯ先基地局のうち、前記選択合成ステップにより過去の所定期間内になされた選択合成によってデータが選択された回数が大きい基地局と前記移動局との間の上りリンクの送信電力を増加させ、データが選択された回数が小さい基地局と前記移動局との間の上りリンクの送信電力を減少させるようこれら上りリンクの送信電力制御がなされることを特徴とする請求項１７記載の周波数間ＨＯ方法。
【請求項１９】
前記移動局は、前記周波数間ＨＯの際のＨＯ先基地局が常に送信している基準信号である共通パイロット信号を前記ギャップにおいて監視する監視ステップを有し、前記移動通信網及び前記移動局の前記送信ステップの各々は、前記監視ステップによる共通パイロット信号の監視終了後に同一データの送信を開始することを特徴とする請求項１４〜１８いずれか記載の周波数間ＨＯ方法。
【請求項２０】
前記受信品質は受信ＳＩＲ（Ｓｉｇｎａｌ　ｔｏ　Ｉｎｔｅｒｆｅｒｅｎｃｅ　Ｒａｔｉｏ）であり、前記目標受信品質は目標ＳＩＲであることを特徴とする請求項１３又は１６記載の周波数間ＨＯ方法。
【請求項２１】
移動局と移動通信網との間の移動通信において通信を行っていないギャップの存在する間欠通信のモードであるコンプレストモードを含む移動局であって、
周波数間ＨＯ（ハンドオーバ）の際、当該移動局から前記移動通信網へＨＯ元周波数にて送信されるデータと同一のデータを前記ギャップを利用してＨＯ先周波数にて前記移動通信網へ送信する送信手段を含むことを特徴とする移動局。
【請求項２２】
前記周波数間ＨＯの際に前記ギャップを利用して前記移動通信網からＨＯ元周波数及びＨＯ先周波数にて送信される互いに同一のデータを受信して合成する合成手段を含むことを特徴とする請求項２１記載の移動局。
【請求項２３】
前記合成手段の出力データを基に受信品質を測定する測定手段を含み、この受信品質を基に前記移動通信網と前記移動局との間の下りリンクの送信電力制御に用いられる目標受信品質を可変制御することを特徴とする請求項２２記載の移動局。
【請求項２４】
前記受信品質は受信ＳＩＲ（Ｓｉｇｎａｌ　ｔｏ　Ｉｎｔｅｒｆｅｒｅｎｃｅ　Ｒａｔｉｏ）であり、前記目標受信品質は目標ＳＩＲであることを特徴とする請求項２３記載の移動局。
【請求項２５】
前記周波数間ＨＯの際のＨＯ先基地局が常に送信している基準信号である共通パイロット信号を前記ギャップにおいて監視する監視手段を含み、前記送信手段による同一データの送信及び前記移動通信網による同一データの送信は、前記監視手段による共通パイロット信号の監視終了後に開始されることを特徴とする請求項２２〜２４いずれか記載の移動局。
【請求項２６】
移動局と移動通信網との間の移動通信において通信を行っていないギャップの存在する間欠通信のモードであるコンプレストモードを含む移動局の動作をコンピュータにより実行させるためのプログラムであって、
周波数間ＨＯ（ハンドオーバ）の際、前記移動局から前記移動通信網へＨＯ元周波数にて送信されるデータと同一のデータを前記ギャップを利用してＨＯ先周波数にて前記移動通信網へ送信する送信ステップを含むことを特徴とするプログラム。
【請求項２７】
前記周波数間ＨＯの際に前記ギャップを利用して前記移動通信網からＨＯ元周波数及びＨＯ先周波数にて送信される互いに同一のデータを受信して合成する合成ステップを含むことを特徴とする請求項２６記載のプログラム。
【請求項２８】
前記合成ステップによる合成データを基に受信品質を測定する測定ステップを含み、この受信品質を基に前記移動通信網と前記移動局との間の下りリンクの送信電力制御に用いられる目標受信品質を可変制御することを特徴とする請求項２７記載のプログラム。
【請求項２９】
前記受信品質は受信ＳＩＲ（Ｓｉｇｎａｌ　ｔｏ　Ｉｎｔｅｒｆｅｒｅｎｃｅ　Ｒａｔｉｏ）であり、前記目標受信品質は目標ＳＩＲであることを特徴とする請求項２８記載のプログラム。
【請求項３０】
前記周波数間ＨＯの際のＨＯ先基地局が常に送信している基準信号である共通パイロット信号を前記ギャップにおいて監視する監視ステップを含み、前記送信ステップによる同一データの送信及び前記移動通信網による同一データの送信は、前記監視ステップによる共通パイロット信号の監視終了後に開始されることを特徴とする請求項２７〜２９いずれか記載のプログラム。
【請求項３１】
移動局と基地局との間の移動通信において通信を行っていないギャップの存在する間欠通信のモードであるコンプレストモードを含む基地局であって、
周波数間ＨＯ（ハンドオーバ）の際、ＨＯ元基地局から前記移動局へＨＯ元周波数にて送信されるデータと同一のデータを前記ギャップを利用してＨＯ先周波数にて前記移動局へ送信する送信手段を含むことを特徴とする基地局。
【請求項３２】
自局が前記周波数間ＨＯの際のＨＯ先基地局であると共にＨＯ元基地局でもある場合に、前記周波数間ＨＯの際に前記ギャップを利用して前記移動局からＨＯ元周波数及びＨＯ先周波数にて送信される互いに同一のデータを受信して合成する合成手段を含むことを特徴とする請求項３１記載の基地局。
【請求項３３】
前記合成手段の出力データを基に受信品質を測定する測定手段を含み、この受信品質を基に自局と前記移動局との間の上りリンクの送信電力制御に用いられる目標受信品質を可変制御することを特徴とする請求項３２記載の基地局。
【請求項３４】
前記受信品質は受信ＳＩＲ（Ｓｉｇｎａｌ　ｔｏ　Ｉｎｔｅｒｆｅｒｅｎｃｅ　Ｒａｔｉｏ）であり、前記目標受信品質は目標ＳＩＲであることを特徴とする請求項３３記載の基地局。
【請求項３５】
基準信号である共通パイロット信号を常に送信する手段を含み、前記移動局は、この共通パイロット信号を前記ギャップにおいて監視しており、前記送信手段による同一データの送信及び前記移動局による同一データの送信は、前記移動局による共通パイロット信号の監視終了後に開始されることを特徴とする請求項３２〜３４いずれか記載の基地局。
【請求項３６】
移動局と基地局との間の移動通信において通信を行っていないギャップの存在する間欠通信のモードであるコンプレストモードを含む基地局の動作をコンピュータにより実行させるためのプログラムであって、
周波数間ＨＯ（ハンドオーバ）の際、ＨＯ元基地局から前記移動局へＨＯ元周波数にて送信されるデータと同一のデータを前記ギャップを利用してＨＯ先周波数にて前記移動局へ送信する送信ステップを含むことを特徴とするプログラム。
【請求項３７】
自局が前記周波数間ＨＯの際のＨＯ先基地局であると共にＨＯ元基地局でもある場合に、前記周波数間ＨＯの際に前記ギャップを利用して前記移動局からＨＯ元周波数及びＨＯ先周波数にて送信される互いに同一のデータを受信して合成する合成ステップを含むことを特徴とする請求項３６記載のプログラム。
【請求項３８】
前記合成ステップによる合成データを基に受信品質を測定する測定ステップを含み、この受信品質を基に自局と前記移動局との間の上りリンクの送信電力制御に用いられる目標受信品質を可変制御することを特徴とする請求項３７記載のプログラム。
【請求項３９】
前記受信品質は受信ＳＩＲ（Ｓｉｇｎａｌ　ｔｏ　Ｉｎｔｅｒｆｅｒｅｎｃｅ　Ｒａｔｉｏ）であり、前記目標受信品質は目標ＳＩＲであることを特徴とする請求項３８記載のプログラム。
【請求項４０】
基準信号である共通パイロット信号を常に送信するステップを含み、前記移動局は、この共通パイロット信号を前記ギャップにおいて監視しており、前記送信ステップによる同一データの送信及び前記移動局による同一データの送信は、前記移動局による共通パイロット信号の監視終了後に開始されることを特徴とする請求項３７〜３９いずれか記載のプログラム。
【請求項４１】
移動局と移動通信網との間の移動通信において通信を行っていないギャップの存在する間欠通信のモードであるコンプレストモードを含む移動通信システムにおける基地局制御装置であって、
周波数間ＨＯ（ハンドオーバ）の際に前記ギャップを利用して前記移動局からＨＯ元周波数及びＨＯ先周波数にて送信される互いに同一のデータをそれぞれＨＯ元基地局及びＨＯ先基地局を介して受信して選択合成する選択合成手段を含むことを特徴とする基地局制御装置。
【請求項４２】
前記ＨＯ元基地局及び前記ＨＯ先基地局のうち、前記選択合成手段により過去の所定期間内になされた選択合成によってデータが選択された回数が大きい基地局と前記移動局との間の上りリンクの送信電力を増加させ、データが選択された回数が小さい基地局と前記移動局との間の上りリンクの送信電力を減少させるようこれら上りリンクの送信電力制御がなされることを特徴とする請求項４１記載の基地局制御装置。
【請求項４３】
前記移動局は、前記ＨＯ先基地局が常に送信している基準信号である共通パイロット信号を前記ギャップにおいて監視しており、前記移動局による同一データの送信は、前記移動局による共通パイロット信号の監視終了後に開始されることを特徴とする請求項４１又は４２記載の基地局制御装置。
【請求項４４】
移動局と移動通信網との間の移動通信において通信を行っていないギャップの存在する間欠通信のモードであるコンプレストモードを含む移動通信システムにおける基地局制御装置の動作をコンピュータにより実行させるためのプログラムであって、
周波数間ＨＯ（ハンドオーバ）の際に前記ギャップを利用して前記移動局からＨＯ元周波数及びＨＯ先周波数にて送信される互いに同一のデータをそれぞれＨＯ元基地局及びＨＯ先基地局を介して受信して選択合成する選択合成ステップを含むことを特徴とするプログラム。
【請求項４５】
前記ＨＯ元基地局及び前記ＨＯ先基地局のうち、前記選択合成手段により過去の所定期間内になされた選択合成によってデータが選択された回数が大きい基地局と前記移動局との間の上りリンクの送信電力を増加させ、データが選択された回数が小さい基地局と前記移動局との間の上りリンクの送信電力を減少させるようこれら上りリンクの送信電力制御がなされることを特徴とする請求項４４記載のプログラム。
【請求項４６】
前記移動局は、前記ＨＯ先基地局が常に送信している基準信号である共通パイロット信号を前記ギャップにおいて監視しており、前記移動局による同一データの送信は、前記移動局による共通パイロット信号の監視終了後に開始されることを特徴とする請求項４４又は４５記載のプログラム。
【発明の詳細な説明】
【０００１】
【発明の属する技術分野】
本発明は移動通信システム、その周波数間ＨＯ方法、移動局、基地局、基地局制御装置及びプログラムに関し、特にＣＤＭＡ（Ｃｏｄｅ　Ｄｉｖｉｓｉｏｎ　Ｍｕｌｔｉｐｌｅ　Ａｃｃｅｓｓ）移動通信システムにおける周波数間ＨＯ（ハンドオーバ）方法に関する。
【０００２】
【従来の技術】
Ｗ−ＣＤＭＡ（Ｗｉｄｅｂａｎｄ−Ｃｏｄｅ　Ｄｉｖｉｓｉｏｎ　Ｍｕｌｔｉｐｌｅ　Ａｃｃｅｓｓ）移動通信方式における周波数間ＨＨＯ（ハードハンドオーバ）の手順について説明する。図１５（ａ）〜（ｃ）は周波数間ＨＨＯについて説明するための図であり、図１６は周波数間ＨＨＯの動作について説明するためのタイミングチャートである。Ｗ−ＣＤＭＡ移動通信方式は、３ＧＰＰ（３ｒｄ　Ｇｅｎｅｒａｔｉｏｎ　Ｐａｒｔｎｅｒｓｈｉｐ　Ｐｒｏｊｅｃｔ）で議論されている第３世代の移動体通信方式である。
【０００３】
通常、基地局（ＢＴＳ：Ｂａｓｅ　Ｔｒａｎｓｃｅｉｖｅｒ　Ｓｔａｔｉｏｎ）は、複数の周波数を保持し、移動機（ＭＳ：Ｍｏｂｉｌｅ　Ｓｔａｔｉｏｎ）といずれかの周波数を使用して通信を行う。
【０００４】
しかし、図１５（ａ）に示すように、ＢＴＳ１の通信領域であるセル１０において周波数ｆ１で通信を行っているＭＳ３が、周波数ｆ２しか有していないＢＴＳ２の通信領域であるセル２０へ移動する際に、周波数を周波数ｆ１から周波数ｆ２へ変更する必要がある。これが、「周波数間ＨＨＯ（異周波ＨＨＯ）」と呼ばれる動作である。
【０００５】
なお、周波数ｆ１から周波数ｆ２へ変更する方法には、ＢＴＳ１の通信領域内でＢＴＳ１の周波数ｆ１からＢＴＳ１の周波数ｆ２へ変更する方法（図１５（ｂ）参照）と、ＢＴＳ１の通信領域とＢＴＳ２の通信領域とが重なっている領域でＢＴＳ１の周波数ｆ１からＢＴＳ２の周波数ｆ２へ変更する方法（図１５（ｃ）参照）という２つの方法があるが、いずれの方法をとってもよい。
【０００６】
通常、ＭＳ３は局部発振器を１つしか有していないため、ＭＳ３は、ＨＨＯ元周波数ｆ１で通信を行いながら、ＨＨＯ先ＢＴＳからＨＨＯ先周波数ｆ２で送信されている下り信号を受信することはできないようになっている。そこで、ＭＳ３は、周波数間ＨＨＯの際に、コンプレストモード（ｃｏｍｐｒｅｓｓｅｄ　ｍｏｄｅ）と呼ばれる、間欠通信を行うモードになる。
【０００７】
図１６に示すように、コンプレストモードは、周波数間ハンドオーバを行う際に異周波数のセルの測定を可能とするためのモードであって、通信を行っていない時間区間であるギャップ（ｇａｐ）の存在する間欠通信のモードである。
【０００８】
このように、コンプレストモードは、ＢＴＳ１がＭＳ３にデータを送信しない時間区間（ギャップ）が存在する間欠通信のモードであるが、ＢＴＳ１とＭＳ３との間の通常通信時においても、ＭＳ３に送信すべきデータが無い時間区間でＢＴＳ１からＭＳ３へのデータ送信を停止する間欠通信は行われる。ただし、通常通信時では、ＢＴＳ１からＭＳ３への送信が停止される区間の位置及び長さはＢＴＳ１からＭＳ３への送信データの挙動に依存し、これらに規則性はない。一方、コンプレストモードでは、送信データに関係なく、予め定められたパターン（ＣＭ　ｐａｔｔｅｒｎ）に従って一定の規則の下、ＢＴＳ１からＭＳ３へのデータ送信が停止される。すなわち、コンプレストモード時に生ずるギャップは、その長さや位置が予め定められたパターンに従っており、規則的になっている。
【０００９】
コンプレストモードの詳細に関しては、３ＧＰＰ仕様の「ＴＳ２５．２１２　ｖ３．５．０　４．４　Ｃｏｍｐｒｅｓｓｅｄ　Ｍｏｄｅ」や、「ＴＳ２５．２１５　ｖ３．５．０　６．１．１　Ｃｏｍｐｒｅｓｓｅｄ　Ｍｏｄｅ」に記載されている。
【００１０】
図１６に示すように、ＨＨＯ先ＢＴＳ２は、基準信号であるＣＰＩＣＨ（Ｃｏｍｍｏｎ　Ｐｉｌｏｔ　Ｃｈａｎｎｅｌ）の共通パイロット信号を全ての周波数にて常に送信している。ＭＳ３は、周波数間ＨＨＯの際、コンプレストモードにおけるギャップで、周波数をＨＨＯ元周波数ｆ１からＨＨＯ先周波数ｆ２に切替えて、ＨＨＯ先ＢＴＳ２からの共通パイロット信号を受信する。ＭＳ３は、ＨＨＯ先ＢＴＳからの共通パイロット信号を監視することにより、ＨＨＯ先周波数ｆ２に移っても、移る前と同じ受信品質が得られること、つまりこの受信品質を得られる電力が出ていることと、ＨＨＯ先周波数ｆ２の下り信号の受信タイミングとを確認する。なお、図１６では、ＨＨＯ元ＢＴＳはＢＴＳ１でありＨＨＯ先ＢＴＳはＢＴＳ２であるが、ＨＨＯ元ＢＴＳとＨＨＯ先ＢＴＳは同一のＢＴＳであってもよい。
【００１１】
このように、ＭＳ３は、コンプレストモードにおけるギャップを利用して、ＨＨＯ先ＢＴＳ２からＨＨＯ先周波数ｆ２にて送信されている共通パイロット信号の一部を受信するようにしている。したがって、下りに関しては、ＭＳ３は、周波数間ＨＨＯ終了後、ＢＴＳ２からの適切な受信品質の信号をすぐに受信することができる。
【００１２】
【特許文献１】
特開２００１−２２４０５３号公報（第４頁、第１−２図）
【００１３】
【発明が解決しようとする課題】
しかし、上りに関しては、周波数間ＨＨＯ中にＨＨＯ先ＢＴＳ２がＭＳ３からのＨＨＯ先周波数ｆ２の信号をモニタする仕組みがないので、周波数間ＨＨＯ終了後の上りの初期送信電力が適切な受信品質を保証するものではないかもしれず、また、ＢＴＳ２はＭＳ３からの上り信号の受信タイミングが判らない。
【００１４】
したがって、周波数間ＨＨＯの終了からＢＴＳ２がＭＳ３から送信される上り信号の受信タイミングを検出するまでの間（図１６に示した期間Ｔ）は、ＢＴＳ２はＭＳ３からの上り信号を受信することができない。また、期間ＴではＭＳ３からの上り信号がＢＴＳ２により受信されていないので、ＢＴＳ２とＭＳ３間の上りリンクの送信電力制御が正常に行われず、よって、受信特性の劣化や干渉の増加が発生する可能性がある。
【００１５】
また、図１５（ｃ）に示すように、ＨＨＯ元ＢＴＳ１の通信領域とＨＨＯ先ＢＴＳ２の通信領域とが重なり合っている領域でＭＳ３が周波数間ＨＨＯを行う場合、ＭＳ３はこれらＢＴＳ１及び２のいずれからも遠距離にあるため、ＭＳ３から見ると下り受信感度が悪くなる。この感度劣化を補うために、各ＢＴＳはＭＳ３への下り送信電力を増加させなければならないが、この下り送信電力の増加により他のＭＳに対する下り干渉が増加してしまう。
【００１６】
同周波のＢＴＳ間ＨＯ（ＤＨＯ：Ｄｉｖｅｒｓｉｔｙ　ＨＯ）やセクタ間ＨＯ（Ｓｏｆｔｅｒ　ＨＯ）のように、周波数を変更することなくＨＯ元ＢＴＳからＨＯ先ＢＴＳへ移動できる場合は、ＭＳはこれらＢＴＳから同じデータを同時受信することにより、ダイバーシティゲインを得ることができると共に無瞬断でハンドオーバを行うことができる。
【００１７】
しかし、周波数間ＨＨＯでは、ＭＳ３はＨＯ元ＢＴＳ１からの下り信号とＨＯ先ＢＴＳ２からの下り信号とを同時に受信することができないので、ダイバーシティゲインを得ることができず、また無瞬断でハンドオーバを行うことが困難である。
【００１８】
本発明の目的は、周波数間ＨＯを円滑かつ安定して行うことができる移動通信システム、その周波数間ＨＯ方法、移動局、基地局、基地局制御装置及びプログラムを提供することにある。
【００１９】
【課題を解決するための手段】
本発明による移動通信システムは、移動局とこの移動局が無線接続可能な移動通信網とを含み、前記移動局と前記移動通信網との間の移動通信において通信を行っていないギャップの存在する間欠通信のモードであるコンプレストモードを含む移動通信システムであって、前記移動通信網は、周波数間ＨＯ（ハンドオーバ）の際、前記移動通信網から前記移動局へＨＯ元周波数にて送信されるデータと同一のデータを前記ギャップを利用してＨＯ先周波数にて前記移動局へ送信する送信手段を有することを特徴とする。
【００２０】
また、前記移動通信システムにおいて、前記移動局は、前記周波数間ＨＯの際、前記移動局から前記移動通信網へＨＯ元周波数にて送信されるデータと同一のデータを前記ギャップを利用してＨＯ先周波数にて前記移動通信網へ送信する送信手段を有することを特徴とする。
【００２１】
本発明による周波数間ＨＯ方法は、移動局とこの移動局が無線接続可能な移動通信網とを含み、前記移動局と前記移動通信網との間の移動通信において通信を行っていないギャップの存在する間欠通信のモードであるコンプレストモードを含む移動通信システムの周波数間ＨＯ（ハンドオーバ）方法であって、前記移動通信網は、周波数間ＨＯの際、前記移動通信網から前記移動局へＨＯ元周波数にて送信されるデータと同一のデータを前記ギャップを利用してＨＯ先周波数にて前記移動局へ送信する送信ステップを有することを特徴とする。
【００２２】
また、前記周波数間ＨＯ方法において、前記移動局は、前記周波数間ＨＯの際、前記移動局から前記移動通信網へＨＯ元周波数にて送信されるデータと同一のデータを前記ギャップを利用してＨＯ先周波数にて前記移動通信網へ送信する送信ステップを有することを特徴とする。
【００２３】
本発明による移動局は、移動局と移動通信網との間の移動通信において通信を行っていないギャップの存在する間欠通信のモードであるコンプレストモードを含む移動局であって、周波数間ＨＯ（ハンドオーバ）の際、当該移動局から前記移動通信網へＨＯ元周波数にて送信されるデータと同一のデータを前記ギャップを利用してＨＯ先周波数にて前記移動通信網へ送信する送信手段を含むことを特徴とする。
【００２４】
本発明によるプログラムは、移動局と移動通信網との間の移動通信において通信を行っていないギャップの存在する間欠通信のモードであるコンプレストモードを含む移動局の動作をコンピュータにより実行させるためのプログラムであって、周波数間ＨＯ（ハンドオーバ）の際、前記移動局から前記移動通信網へＨＯ元周波数にて送信されるデータと同一のデータを前記ギャップを利用してＨＯ先周波数にて前記移動通信網へ送信する送信ステップを含むことを特徴とする。
【００２５】
本発明による基地局は、移動局と基地局との間の移動通信において通信を行っていないギャップの存在する間欠通信のモードであるコンプレストモードを含む基地局であって、周波数間ＨＯ（ハンドオーバ）の際、ＨＯ元基地局から前記移動局へＨＯ元周波数にて送信されるデータと同一のデータを前記ギャップを利用してＨＯ先周波数にて前記移動局へ送信する送信手段を含むことを特徴とする。
【００２６】
本発明によるプログラムは、移動局と基地局との間の移動通信において通信を行っていないギャップの存在する間欠通信のモードであるコンプレストモードを含む基地局の動作をコンピュータにより実行させるためのプログラムであって、周波数間ＨＯ（ハンドオーバ）の際、ＨＯ元基地局から前記移動局へＨＯ元周波数にて送信されるデータと同一のデータを前記ギャップを利用してＨＯ先周波数にて前記移動局へ送信する送信ステップを含むことを特徴とする。
【００２７】
本発明による基地局制御装置は、移動局と移動通信網との間の移動通信において通信を行っていないギャップの存在する間欠通信のモードであるコンプレストモードを含む移動通信システムにおける基地局制御装置であって、周波数間ＨＯ（ハンドオーバ）の際に前記ギャップを利用して前記移動局からＨＯ元周波数及びＨＯ先周波数にて送信される互いに同一のデータをそれぞれＨＯ元基地局及びＨＯ先基地局を介して受信して選択合成する選択合成手段を含むことを特徴とする。
【００２８】
本発明によるプログラムは、移動局と移動通信網との間の移動通信において通信を行っていないギャップの存在する間欠通信のモードであるコンプレストモードを含む移動通信システムにおける基地局制御装置の動作をコンピュータにより実行させるためのプログラムであって、周波数間ＨＯ（ハンドオーバ）の際に前記ギャップを利用して前記移動局からＨＯ元周波数及びＨＯ先周波数にて送信される互いに同一のデータをそれぞれＨＯ元基地局及びＨＯ先基地局を介して受信して選択合成する選択合成ステップを含むことを特徴とする。
【００２９】
このように、本発明では、周波数間ＨＯ中のコンプレストモードにおけるギャップを利用することにより、ＨＯ元周波数を使用した移動局とＨＯ元基地局間の通信とＨＯ先周波数を使用した移動局とＨＯ先基地局間の通信とが交互に行なわれ、ＨＯ元周波数及びＨＯ先周波数を用いて送受信されるデータは同じものである。
【００３０】
すなわち、ＨＯ先基地局は、ギャップにおいて、ＨＯ元基地局がＨＯ元周波数にて移動局に送信するデータと同一のデータをＨＯ先周波数にて移動局に送信する。また、移動局は、ギャップにおいて周波数をＨＯ元周波数からＨＯ先周波数に切替えることにより、移動局がＨＯ元基地局へＨＯ元周波数にて送信するデータと同一のデータをＨＯ先基地局に送信する。
【００３１】
【発明の実施の形態】
以下に、本発明の実施例について図面を用いて説明する。図１は本発明の実施例によるＷ−ＣＤＭＡ（Ｗｉｄｅｂａｎｄ−Ｃｏｄｅ　Ｄｉｖｉｓｉｏｎ　Ｍｕｌｔｉｐｌｅ　Ａｃｃｅｓｓ）移動通信システムの構成を示す図である。図１に示すように、本発明の実施例による移動通信システムは、基地局（ＢＴＳ：Ｂａｓｅ　Ｔｒａｎｓｃｅｉｖｅｒ　Ｓｔａｔｉｏｎ）１及び２と、移動機（ＭＳ：Ｍｏｂｉｌｅ　Ｓｔａｔｉｏｎ）３と、基地局制御装置（ＲＮＣ：Ｒａｄｉｏ　Ｎｅｔｗｏｒｋ　Ｃｏｎｔｒｏｌｌｅｒ）４とから構成されており、ＲＮＣ４はＣＮ（Ｃｏｒｅ　Ｎｅｔｗｏｒｋ）に接続されている。
【００３２】
図２は図１に示したＢＴＳ１の構成を示す図である。図２に示すように、ＢＴＳ１は、受信部１１と、サーチ・復号部１２と、上り信号監視部１３と、ＨＨＯ制御部１４と、局部発振器（ＬＯ：Ｌｏｃａｌ　Ｏｓｃｉｌａｔｏｒ）１５と、送信部１６とから構成されている。ＢＴＳ２の構成も図２に示したＢＴＳ１の構成と同様である。
【００３３】
図３は図１に示したＭＳ３の構成を示す図である。図３に示すように、ＭＳ３は、受信部２１と、サーチ・復号部２２と、下り信号監視部２３と、ＨＨＯ制御部２４と、ＬＯ２５と、送信部２６とから構成されている。
【００３４】
図４は図１に示したＲＮＣ４の構成を示す図である。図４に示すように、ＲＮＣ４は、選択合成部３１と、制御部３２と、Ｉ／Ｆ（インタフェース）３３及び３４とから構成されている。
【００３５】
図５〜７は本発明の実施例による移動通信システムの動作を示すタイミングチャートであり、図８〜１２は本発明の実施例による移動通信システムの動作を示すフローチャートである。これら図１〜図１２を参照して本発明の実施例による移動通信システムについて説明する。
【００３６】
図１において、周波数間ＨＨＯ（ハードハンドオーバ）の際に、ＭＳ３は、コンプレストモード（ｃｏｍｐｒｅｓｓｅｄ　ｍｏｄｅ）におけるギャップ（ｇａｐ）で周波数をＨＨＯ元周波数ｆ１からＨＨＯ先周波数ｆ２に切替えて、ＨＨＯ先ＢＴＳ２から送信されている共通パイロット信号をモニタする。このＨＨＯ先ＢＴＳ２からの下り信号のモニタについては、図１６を用いて既に説明したので、説明を省略する。
【００３７】
本実施例では、ＨＨＯ先ＢＴＳ２からの共通パイロット信号のモニタが終了すると、ＭＳ３は、ＨＨＯ元周波数ｆ１を使用してＨＨＯ元ＢＴＳ１を介してＲＮＣ４にこの旨を通知する。この通知に応答して、ＲＮＣ４は新たなコンプレストモードパターンをＢＴＳ１，ＢＴＳ２及びＭＳ３に通知する。なお、ＭＳ３は、ＲＮＣ４からのこの新たなパターンをＨＨＯ元ＢＴＳ１を介して受信する。
【００３８】
そして、ＭＳ３及びＨＨＯ先ＢＴＳ２は、通知されたパターンのギャップ区間において、ＨＨＯ先周波数ｆ２を使用してＭＳ３とＨＨＯ先ＢＴＳ２間で通信を行なう。このようにギャップ利用することにより、ＨＨＯ元周波数ｆ１を使用したＭＳ３とＨＨＯ元ＢＴＳ１間の通信とＨＨＯ先周波数ｆ２を使用したＭＳ３とＨＨＯ先ＢＴＳ２間の通信が交互に行なわれるが、これら周波数ｆ１及びｆ２を用いて送受信されるデータは同じものとする。
【００３９】
すなわち、ＨＨＯ先ＢＴＳ２は、通知されたパターンのギャップで、ＨＨＯ元ＢＴＳ１がＨＨＯ元周波数ｆ１にてＭＳ３に送信するデータと同一のデータをＨＨＯ先周波数ｆ２にてＭＳ３に送信する。また、ＭＳ３は、通知されたパターンのギャップで周波数をＨＨＯ元周波数ｆ１からＨＨＯ先周波数ｆ２に切替えて、ＭＳ３がＨＨＯ元ＢＴＳ１へＨＨＯ元周波数ｆ１にて送信するデータと同一のデータをＨＨＯ先ＢＴＳ２に送信する。
【００４０】
ＭＳ３は、通知されたパターンのギャップでＨＨＯ先ＢＴＳ２にデータを送信する際、このデータの送信に付随してパイロット信号もＨＨＯ先ＢＴＳ２に周波数ｆ２を用いて送信する。なお、このデータはＤＰＣＨ（Ｄｅｄｉｃａｔｅｄ　Ｐｈｙｓｉｃａｌ　Ｃｈａｎｎｅｌ）のＤＰＤＣＨ（Ｄｅｄｉｃａｔｅｄ　Ｐｈｙｓｉｃａｌ　Ｄａｔａ　Ｃｈａｎｎｅｌ）を用いて送信されるものであり、パイロット信号はＤＰＣＨのＤＰＣＣＨ（Ｄｅｄｉｃａｔｅｄ　ＰｈｙｓｉｃａｌＣｏｎｔｒｏｌ　Ｃｈａｎｎｅｌ）を用いて送信されるものである。
【００４１】
したがって、ＨＨＯ先ＢＴＳ２は、ギャップを利用して上り信号監視部１３にてＭＳ３からのパイロット信号を監視することが可能である。ＭＳ３からのパイロット信号を監視することにより、ＨＨＯ先ＢＴＳ２は、ＭＳ３による下り信号の監視と同様に、ＭＳ３からのＨＨＯ先周波数ｆ２の上り信号の送信電力が適切なものであるか否かを確認すると共に、ＭＳ３からのＨＨＯ先周波数ｆ２の上り信号の受信タイミングを確認する。
【００４２】
なお、以上の説明ではＨＨＯ元ＢＴＳをＢＴＳ１としＨＨＯ先ＢＴＳをＢＴＳ２としているが、ＨＨＯ元ＢＴＳとＨＨＯ先ＢＴＳは同一のＢＴＳであってもよい。
【００４３】
図５〜７は、新たなコンプレストモードにおけるギャップの位置でＭＳ３が周波数をＨＨＯ先周波数ｆ２に切替えることにより、ＭＳ３とＨＨＯ元ＢＴＳとの間で送受信されるデータと同一のデータをＭＳ３とＨＨＯ先ＢＴＳとの間で送受信する様子を示している。図５〜７に示すように、ＨＨＯ先ＢＴＳからの共通パイロット信号のモニタ終了後の新たなコンプレストモードでは各フレーム（ｆｒａｍｅ）の半分程度がギャップ区間として確保される。
【００４４】
図５では、ＭＳ３の下り受信動作が示されている。図５に示すように、ＭＳ３は、通知された新たなコンプレストモードパターン（ＣＭ　ｐａｔｔｅｒｎ）に従ってＨＨＯ元ＢＴＳ１からＭＳ３へＨＨＯ元周波数ｆ１にて送信されるデータＤ１〜Ｄ６と、通知された新たなコンプレストモードパターンに従ってＨＨＯ先ＢＴＳ２からＭＳ３へＨＨＯ先周波数ｆ２にて送信されるデータＤ１´〜Ｄ６´とを、通知された新たなコンプレストモードパターンに従ってＨＨＯ元周波数ｆ１とＨＨＯ先周波数ｆ２とを切替えることにより受信する。そして、ＭＳ３は受信された互いに同一のデータを合成（例えば、最大比合成）する。
【００４５】
なお、データＤ１とデータＤ１´が互いに同一のデータであり、データＤ２とデータＤ２´が互いに同一のデータであり、データＤ３とデータＤ３´が互いに同一のデータであり、データＤ４とデータＤ４´が互いに同一のデータであり、データＤ５とデータＤ５´が互いに同一のデータであり、データＤ６とデータＤ６´が互いに同一のデータである。
【００４６】
図５では、ＨＨＯ元ＢＴＳをＢＴＳ１としＨＨＯ先ＢＴＳをＢＴＳ２としているが、ＨＨＯ元ＢＴＳとＨＨＯ先ＢＴＳは同一のＢＴＳであってもよい。
【００４７】
図６では、ＢＴＳ１がＨＨＯ元ＢＴＳでありＨＨＯ先ＢＴＳでもある場合におけるＢＴＳ１の上り受信動作が示されている。図６に示すように、ＢＴＳ１は、通知された新たなコンプレストモードパターンに従ってＭＳ３からＨＨＯ元周波数ｆ１にて送信されるデータＤ１１〜Ｄ１６と、通知された新たなコンプレストモードパターンに従ってＭＳ３からＨＨＯ先周波数ｆ２にて送信されるデータＤ１１´〜Ｄ１６´とを、受信する。そして、ＢＴＳ１は受信された互いに同一のデータを合成（例えば、最大比合成）する。
【００４８】
なお、データＤ１１とデータＤ１１´が互いに同一のデータであり、データＤ１２とデータＤ１２´が互いに同一のデータであり、データＤ１３とデータＤ１３´が互いに同一のデータであり、データＤ１４とデータＤ１４´が互いに同一のデータであり、データＤ１５とデータＤ１５´が互いに同一のデータであり、データＤ１６とデータＤ１６´が互いに同一のデータである。
【００４９】
図５及び６において、ＭＳ３がＢＴＳ１からのデータＤ１を受信するとき、ＭＳ３の周波数は周波数ｆ１であり、このときにＭＳ３はＢＴＳ１にデータＤ１１を送信するようにしている。なお、データＤ１とデータＤ１１は互いに同一のデータではない。また、ＭＳ３がＨＨＯ先ＢＴＳからのデータＤ１´を受信するとき、ＭＳ３の周波数は周波数ｆ２であり、このときにＭＳ３はＨＨＯ先ＢＴＳにデータＤ１１´を送信するようにしている。なお、データＤ１´とデータＤ１１´は互いに同一のデータではない。
【００５０】
図７では、ＨＨＯ元ＢＴＳがＢＴＳ１でありＨＨＯ先ＢＴＳがＢＴＳ２である場合における各ＢＴＳの上り受信動作が示されている。図７に示すように、ＢＴＳ１は、通知された新たなコンプレストモードパターンに従ってＭＳ３からＨＨＯ元周波数ｆ１にて送信されるデータＤ２１〜Ｄ２６を受信し、ＢＴＳ２は、通知された新たなコンプレストモードパターンに従ってＭＳ３からＨＨＯ先周波数ｆ２にて送信されるデータＤ２１´〜Ｄ２６´を受信する。そして、ＢＴＳ１及び２はそれぞれ、受信データをＲＮＣ４に送信する。ＲＮＣ４は、ＢＴＳ１からの受信データとＢＴＳ２からの受信データを選択合成する。
【００５１】
なお、データＤ２１とデータＤ２１´が互いに同一のデータであり、データＤ２２とデータＤ２２´が互いに同一のデータであり、データＤ２３とデータＤ２３´が互いに同一のデータであり、データＤ２４とデータＤ２４´が互いに同一のデータであり、データＤ２５とデータＤ２５´が互いに同一のデータであり、データＤ２６とデータＤ２６´が互いに同一のデータである。
【００５２】
図５及び７において、ＭＳ３がＢＴＳ１からのデータＤ１を受信するとき、ＭＳ３の周波数は周波数ｆ１であり、このときにＭＳ３はＢＴＳ１にデータＤ２１を送信するようにしている。なお、データＤ１とデータＤ２１は互いに同一のデータではない。また、ＭＳ３がＢＴＳ２からのデータＤ１´を受信するとき、ＭＳ３の周波数は周波数ｆ２であり、このときにＭＳ３はＢＴＳ２にデータＤ２１´を送信するようにしている。なお、データＤ１´とデータＤ２１´は互いに同一のデータではない。
【００５３】
このように、本実施例では、周波数間ＨＨＯの際、ＭＳ３は、ＭＳ３からＨＨＯ元ＢＴＳに送信されるデータと同一のデータをギャップを利用してＨＨＯ先ＢＴＳに送信し、ＨＨＯ先ＢＴＳは、ＨＨＯ元ＢＴＳからＭＳ３に送信されるデータと同一のデータをギャップを利用してＭＳ３に送信するようにしている。したがって、同周波のＢＴＳ間ＨＯ（ＤＨＯ：Ｄｉｖｅｒｓｉｔｙ　ＨＯ）やセクタ間ＨＯ（Ｓｏｆｔｅｒ　ＨＯ）のように、無瞬断で周波数間ＨＨＯを行うことができる。
【００５４】
さらに、本実施例では、以下のような手順に基づき、ＭＳ３とＨＨＯ元ＢＴＳ間の下りリンク及びＭＳ３とＨＨＯ先ＢＴＳ間の下りリンクの送信電力制御（ＴＰＣ）に用いられる目標ＳＩＲ（ｔａｒｇｅｔ　ＳＩＲ（Ｓｉｇｎａｌ　ｔｏ　Ｉｎｔｅｒｆｅｒｅｎｃｅ　Ｒａｔｉｏ））と、ＭＳ３とＨＨＯ元ＢＴＳ間の上りリンク及びＭＳ３とＨＨＯ先ＢＴＳ間の上りリンクのＴＰＣに用いられるｔａｒｇｅｔ　ＳＩＲとを可変制御する。
【００５５】
［１］ＭＳ３とＨＨＯ元ＢＴＳ１間の下りリンク及びＭＳ３とＨＨＯ先ＢＴＳ２間の下りリンクのＴＰＣに用いられるｔａｒｇｅｔ　ＳＩＲを可変制御する場合
以下の変数を定義する（全て、ｄＢでは無く真値とする）。
・ＳＩＲ（ｍｓ）：ＲＮＣ４から指定されるＭＳ３のｔａｒｇｅｔ　ＳＩＲ
・ＳＩＲ（ｄｖ＿ｍｓ）：ＭＳ３における１フレーム分の合成データを基に算出される受信ＳＩＲ
・Ｇａｉｎ（ｍｓ）：ＭＳ３のダイバーシティゲイン
・ＳＩＲ（ｈｈｏ＿ｍｓ）：ダイバーシティゲインを考慮したＭＳ３のｔａｒｇｅｔ　ＳＩＲ
【００５６】
周波数間ＨＨＯ中の下りＴＰＣは、ＳＩＲ（ｈｈｏ＿ｍｓ）を用いて行なうが、ＳＩＲ（ｈｈｏ＿ｍｓ）の算出方法は以下の通りである。
（０）ＳＩＲ（ｈｈｏ＿ｍｓ）の初期値として、ＳＩＲ（ｈｈｏ＿ｍｓ）の値をＳＩＲ（ｍｓ）と同じ値にする。
（１）ＭＳ３とＢＴＳ２間の下りリンクの同期が確立するまでは、すなわち、ＢＴＳ２から周波数ｆ２を用いて送信されたデータに対してＭＳ３においてＣＲＣ（Ｃｙｃｌｉｃ　Ｒｅｄｕｎｄａｎｃｙ　Ｃｈｅｃｋ）判定可能となるまでは、ＳＩＲ（ｈｈｏ＿ｍｓ）の値は変化させない。
【００５７】
下りリンクの同期が確立した後、（２）以降の手順に従いＳＩＲ（ｈｈｏ＿ｍｓ）を変化させる。
（２）各タイムスロット毎にＳＩＲ（ｈｈｏ＿ｍｓ）に従い、ＭＳ３とＢＴＳ１間の下りリンク及びＭＳ３とＢＴＳ２間の下りリンクのＴＰＣを行なう。
（３）ＢＴＳ１及びＢＴＳ２の各々からの１フレーム分のデータを受信した後、互いに同一のデータを合成（例えば、最大比合成）し、１フレーム分の合成データを基に受信ＳＩＲ（＝ＳＩＲ（ｄｖ＿ｍｓ））を算出する（図５参照）。
（４）Ｇａｉｎ（ｍｓ）＝ＳＩＲ（ｄｖ＿ｍｓ）−ＳＩＲ（ｍｓ）
（５）ＳＩＲ（ｈｈｏ＿ｍｓ）＝ＳＩＲ（ｍｓ）−Ｇａｉｎ（ｍｓ）／２
（６）以降、周波数間ＨＨＯが終了するまで各フレーム毎に（２）〜（５）の手順を繰り返す。
【００５８】
以上の説明では、ＨＨＯ元ＢＴＳをＢＴＳ１としＨＨＯ先ＢＴＳをＢＴＳ２としているが、ＨＨＯ元ＢＴＳとＨＨＯ先ＢＴＳは同一のＢＴＳであってもよい。
【００５９】
［２］ＭＳ３とＨＨＯ元ＢＴＳ間の上りリンク及びＭＳ３とＨＨＯ先ＢＴＳ間の上りリンクのＴＰＣに用いられるｔａｒｇｅｔ　ＳＩＲを可変制御する場合
このｔａｒｇｅｔ　ＳＩＲの可変制御の方法は、ＨＨＯ元ＢＴＳとＨＨＯ先ＢＴＳとが同じである場合と、ＨＨＯ元ＢＴＳとＨＨＯ先ＢＴＳとが異なる場合とで異なる。
【００６０】
［２−１］ＢＴＳ１がＨＨＯ元ＢＴＳでありＨＨＯ先ＢＴＳでもある場合（この場合、“ＭＳ３とＨＨＯ元ＢＴＳ間の上りリンク”はＭＳ３からＢＴＳ１へＨＨＯ元周波数ｆ１を用いて送信されるデータが通るリンクであり、“ＭＳ３とＨＨＯ先ＢＴＳ間の上りリンク”はＭＳ３からＢＴＳ１へＨＨＯ先周波数ｆ２を用いて送信されるデータが通るリンクである）
以下の変数を定義する（全て、ｄＢでは無く真値とする）。
・ＳＩＲ（ｂｔｓ）：ＲＮＣ４から指定されるＢＴＳ１のｔａｒｇｅｔ　ＳＩＲ
・ＳＩＲ（ｄｖ＿ｂｔｓ）：ＢＴＳ１における１フレーム分の合成データを基に算出される受信ＳＩＲ
・Ｇａｉｎ（ｂｔｓ）：ＢＴＳ１のダイバーシティゲイン
・ＳＩＲ（ｈｈｏ＿ｂｔｓ）：ダイバーシティゲインを考慮したＢＴＳ１のｔａｒｇｅｔ　ＳＩＲ
【００６１】
周波数間ＨＨＯ中の上りＴＰＣは、ＳＩＲ（ｈｈｏ＿ｂｔｓ）を用いて行なうが、ＳＩＲ（ｈｈｏ＿ｂｔｓ）の算出方法は以下の通りである。
（０）ＳＩＲ（ｈｈｏ＿ｂｔｓ）の初期値として、ＳＩＲ（ｈｈｏ＿ｂｔｓ）の値をＳＩＲ（ｂｔｓ）と同じ値にする。
（１）ＭＳ３とＨＨＯ先ＢＴＳ間の上りリンクの同期が確立するまでは、すなわち、ＭＳ３から周波数ｆ２を用いて送信されたデータに対してＢＴＳ１においてＣＲＣ判定可能となるまでは、ＳＩＲ（ｈｈｏ＿ｂｔｓ）の値は変化させない。
【００６２】
上りリンクの同期が確立した後、（２）以降の手順に従いＳＩＲ（ｈｈｏ＿ｂｔｓ）を変化させる。
（２）各タイムスロット毎にＳＩＲ（ｈｈｏ＿ｂｔｓ）に従い、ＭＳ３とＨＨＯ元ＢＴＳ間の上りリンク及びＭＳ３とＨＨＯ先ＢＴＳ間の上りリンクのＴＰＣを行なう。
（３）ＭＳ３から周波数ｆ１及びｆ２の各々を用いて送信された１フレーム分のデータを受信した後、互いに同一のデータを合成（例えば、最大比合成）し、１フレーム分の合成データを基に受信ＳＩＲ（＝ＳＩＲ（ｄｖ＿ｂｔｓ））を算出する（図６参照）。
（４）Ｇａｉｎ（ｂｔｓ）＝ＳＩＲ（ｄｖ＿ｂｔｓ）−ＳＩＲ（ｂｔｓ）
（５）ＳＩＲ（ｈｈｏ＿ｂｔｓ）＝ＳＩＲ（ｂｔｓ）−Ｇａｉｎ（ｂｔｓ）／２
（６）以降、周波数間ＨＨＯが終了するまで各フレーム毎に（２）〜（５）の手順を繰り返す。
【００６３】
［２−２］ＢＴＳ１がＨＨＯ元ＢＴＳでありＢＴＳ２がＨＨＯ先ＢＴＳである場合
この場合は、上記［２−１］と異なり、ＢＴＳ１及び２の上位装置であるＲＮＣ４での制御が必要となる。以下の変数を定義する（全て、ｄＢでは無く真値とする）。
・ＳＩＲ（ｂｔｓ）：ＲＮＣ４から指定されるＢＴＳ１及び２のｔａｒｇｅｔ　ＳＩＲ
・Δ（ｂｔｓ１）：ＢＴＳ１のＳＩＲ（ｂｔｓ）に対するオフセット
・Δ（ｂｔｓ２）：ＢＴＳ２のＳＩＲ（ｂｔｓ）に対するオフセット
・Ｎ：下記ｎ１，ｎ２を算出するための定数
・Ｎ１：ＲＮＣ４の選択合成処理において、過去Ｎ選択単位区間内でＢＴＳ１からのデータが選択された回数（図７に示した例では１選択単位区間は１フレームである）
・ｎ１［ｉ］：過去Ｎ選択単位区間内の（Ｎ−ｉ）番目の選択単位区間においてＢＴＳ１からのデータが選択されたか否かを示す。“１”なら選択、“０”なら選択されなかったことを示す。Ｎ１＝Σｎ１［ｉ］。
・Ｎ２：ＲＮＣ４の選択合成処理において、過去Ｎ選択単位区間内でＢＴＳ２からのデータが選択された回数
・ｎ２［ｉ］：過去Ｎ選択単位区間内の（Ｎ−ｉ）番目の選択単位区間においてＢＴＳ２からのデータが選択されたか否かを示す。“１”なら選択、“０”なら選択されなかったことを示す。Ｎ２＝Σｎ２［ｉ］。
・ｆ［ｘ］：Ｎ１及びＮ２からΔ（ｂｔｓ１），Δ（ｂｔｓ２）を算出するための関数。基本的に、ｘに対し単調増加となる。
・ＳＩＲ（ｈｈｏ＿ｂｔｓ１）：ＲＮＣ４での選択合成を考慮したＢＴＳ１のｔａｒｇｅｔ　ＳＩＲ
・ＳＩＲ（ｈｈｏ＿ｂｔｓ２）：ＲＮＣ４での選択合成を考慮したＢＴＳ２のｔａｒｇｅｔ　ＳＩＲ
・Ｍ１：求められたＮ１及びＮ２をｔａｒｇｅｔ　ＳＩＲに反映する区間（以下、反映区間と称する）の長さを表すための定数であり、反映区間の長さはＭ１個の選択単位区間である。Ｍ１はｃｎｔ１によりカウントする。
・Ｍ２：求められたＮ１及びＮ２をｔａｒｇｅｔ　ＳＩＲに反映しない区間（以下、非反映区間と称する）の長さを表すための定数であり、非反映区間の長さはＭ２個の選択単位区間である。Ｍ２はｃｎｔ２によりカウントする。
【００６４】
なお、１選択単位区間はＲＮＣ４が１回の選択合成を行なう区間であり、ＢＴＳ１からの１選択単位区間分のデータとＢＴＳ２からのこの区間分のデータとがＲＮＣ４により選択合成される。図７に示した例では１選択単位区間は１フレームであるが、これに限定されない。例えば、データが音声データであれば１選択単位区間は２フレーム、データがパケットデータであれば１選択単位区間は４フレームとしてもよい。
【００６５】
周波数間ＨＨＯ中の上りＴＰＣは、ＳＩＲ（ｈｈｏ＿ｂｔｓ１）及びＳＩＲ（ｈｈｏ＿ｂｔｓ２）を用いて行なうが、ＳＩＲ（ｈｈｏ＿ｂｔｓ１）及びＳＩＲ（ｈｈｏ＿ｂｔｓ２）の算出方法は以下の通りである。
（０）ＳＩＲ（ｈｈｏ＿ｂｔｓ１）及びＳＩＲ（ｈｈｏ＿ｂｔｓ２）の初期値として、これらの値をＳＩＲ（ｂｔｓ）と同じ値にする。
（１）ＭＳ３とＢＴＳ２間の上りリンクの同期が確立するまでは、すなわち、ＭＳ３から周波数ｆ２を用いて送信されたデータに対してＢＴＳ２においてＣＲＣ判定可能となるまでは、ＳＩＲ（ｈｈｏ＿ｂｔｓ１）及びＳＩＲ（ｈｈｏ＿ｂｔｓ２）の値は変化させない。
【００６６】
上りリンクの同期が確立した後、（２）以降の手順に従いＳＩＲ（ｈｈｏ＿ｂｔｓ１）及びＳＩＲ（ｈｈｏ＿ｂｔｓ２）を変化させる。
（２）各タイムスロット毎にＳＩＲ（ｈｈｏ＿ｂｔｓ１）に従い、ＭＳ３とＢＴＳ１間の上りリンクのＴＰＣを行なう。また、各タイムスロット毎にＳＩＲ（ｈｈｏ＿ｂｔｓ２）に従い、ＭＳ３とＢＴＳ２間の上りリンクのＴＰＣを行なう。
（３）各ＢＴＳからの１選択単位区間分のデータに対し、ＲＮＣ４が選択合成を行なう　（受信品質の良い方のデータを選択する）（図７参照）。また、この選択合成により各ＢＴＳからのデータが選択されたか否かをｎ１［ｉ］及びｎ２［ｉ］を用いて記録しておく。
（４）過去Ｎ選択単位区間内において、ＢＴＳ１からのデータを選択した回数Ｎ１（＝Σｎ１［ｉ］）と、ＢＴＳ２からのデータを選択した回数Ｎ２（＝Σｎ２［ｉ］）をＲＮＣ４が算出する。
【００６７】
（５）ＲＮＣ４は以下の式により、Δ（ｂｔｓ１）及びΔ（ｂｔｓ２）を求め、ＢＴＳ１及びＢＴＳ２へ通知する。
Δ（ｂｔｓ１）＝ＳＩＲ（ｂｔｓ）＊　ｆ［Ｎ１−（Ｎ１＋Ｎ２）／２］
Δ（ｂｔｓ２）＝ＳＩＲ（ｂｔｓ）＊　ｆ［Ｎ２−（Ｎ１＋Ｎ２）／２］
なお、関数ｆ［ｘ］は例えば、図１４に示すような特性を持つ関数とする。ただし、反映区間ではＲＮＣ４は上式で求めたΔ（ｂｔｓ１）及びΔ（ｂｔｓ２）をそのままＢＴＳ１及びＢＴＳ２へ通知するが、非反映区間ではΔ（ｂｔｓ１）及びΔ（ｂｔｓ２）の値をそれぞれ０として通知する。
（６）ＭＳ３とＢＴＳ１間の上りリンクのＴＰＣに用いられるｔａｒｇｅｔ　ＳＩＲであるＳＩＲ（ｈｈｏ＿ｂｔｓ１）及びＭＳ３とＢＴＳ２間の上りリンクのＴＰＣに用いられるｔａｒｇｅｔ　ＳＩＲであるＳＩＲ（ｈｈｏ＿ｂｔｓ２）を、以下の式により算出する。
ＳＩＲ（ｈｈｏ＿ｂｔｓ１）＝ＳＩＲ（ｂｔｓ）＋Δ（ｂｔｓ１）
ＳＩＲ（ｈｈｏ＿ｂｔｓ２）＝ＳＩＲ（ｂｔｓ）＋Δ（ｂｔｓ２）
（７）以降、周波数間ＨＨＯが終了するまで１選択単位区間毎に（２）〜（６）の手順を繰り返す。
【００６８】
次に、図８〜図１２に示したフローチャートを参照して本発明の実施例による移動通信システム全体の動作について詳細に説明する。
【００６９】
周波数間ＨＨＯを行うＭＳ３は、まず、図８に示すように、コンプレストモードのギャップ区間において、ＨＨＯ先ＢＴＳ２が全ての周波数で常時送信している基準信号である共通パイロット信号を受信することにより、下り信号監視部２３がＨＨＯ先周波数ｆ２での下り信号の受信タイミングを把握する。これにより、ＢＴＳ２からの下り信号の監視を終了する（図８ステップＳ２）。
【００７０】
次に、ＭＳ３は、ＨＨＯ元周波数ｆ１を用いて下り信号の監視終了をＨＨＯ元ＢＴＳ１を介してＲＮＣ４へ通知する（図８ステップＳ３）。この通知に応答して、ＲＮＣ４は、新たなコンプレストモードパターンをＢＴＳ１、ＢＴＳ２及びＭＳ３へ通知し、ＳＩＲ　（ｍｓ）をＢＴＳ１を介してＭＳ３へ通知すると共に、ＳＩＲ（ｂｔｓ）をＢＴＳ１及びＢＴＳ２へ通知する（図８ステップＳ４）。なお、ＲＮＣ４から通知される新たなコンプレストモードパターンでは、図５〜７に示したように、周波数ｆ１を用いて送受信を行なう時間と周波数ｆ２を用いて送受信を行なう時間とが時間的に重ならないように配置されている。
【００７１】
［１］ＭＳ３の動作
ＭＳ３は、まず、ＳＩＲ（ｈｈｏ＿ｍｓ）の初期化を行なう（図８ステップＳ５）。次に、ＭＳ３は、図５に示したように、ＲＮＣ４から通知された新たなコンプレストモードパターンに従って周波数ｆ１と周波数ｆ２を切替えながらデータの送受信を行ない、ＭＳ３とＢＴＳ１間の下りリンクのＴＰＣ及びＭＳ３とＢＴＳ２間の下りリンクのＴＰＣの各々が、ＳＩＲ（ｈｈｏ＿ｍｓ）をｔａｒｇｅｔＳＩＲとして各タイムスロット毎に行なわれる　（図８ステップＳ６）。
【００７２】
すなわち、ＭＳ３は、ＳＩＲ（ｈｈｏ＿ｍｓ）及びＢＴＳ１からのデータの受信ＳＩＲに基づいてＴＰＣビットをＢＴＳ１へ送信し、また、ＳＩＲ（ｈｈｏ＿ｍｓ）及びＢＴＳ２からのデータの受信ＳＩＲに基づいてＴＰＣビットをＢＴＳ２へ送信する。ＢＴＳ１及び２の各々は、ＭＳ３からのＴＰＣビットに従ってＭＳ３に送信するデータの送信電力を制御する。
【００７３】
ＭＳ３は、ＢＴＳ１及び２の各々からの１フレーム分のデータを受信すると（図８ステップＳ７，Ｙｅｓ）、ＳＩＲ（ｈｈｏ＿ｍｓ）の値を変更する手順に移行する。ただし、ＢＴＳ２からのデータに対して同期が確立していない場合は、ＳＩＲ（ｈｈｏ＿ｍｓ）の値の変更を行なわない（図８ステップＳ８，Ｎｏ）。
【００７４】
ＢＴＳ２からのデータに対して同期が確立しているならば（図８ステップＳ８，Ｙｅｓ）、ＭＳ３は、図５に示したように、周波数ｆ１及び周波数ｆ２を用いて受信された互いに同一のデータをサーチ・復号部２２において合成（例えば、最大比合成）し、合成された１フレーム分のデータを基に受信ＳＩＲ（＝ＳＩＲ（ｄｖ＿ｍｓ））を算出する（図８ステップＳ９）。
【００７５】
そして、ＭＳ３は、ＳＩＲ（ｄｖ＿ｍｓ）とＳＩＲ（ｍｓ）の差であるＧａｉｎ（ｍｓ）を算出する（図８ステップＳ１０）。ＭＳ３は、Ｇａｉｎ（ｍｓ）を、周波数ｆ１及び周波数ｆ２を用いて互いに同一のデータを受信することにより得られたダイバーシティゲインと考え、ＳＩＲ（ｈｈｏ＿ｍｓ）の値を更新する（図８ステップＳ１１）。以降、ＭＳ３は、周波数間ＨＨＯが終了するまでステップＳ６〜ステップＳ１１の動作を繰り返す　（図８ステップＳ１２）。
【００７６】
このように、本実施例では、周波数間ＨＨＯの際、ＢＴＳ１及びＢＴＳ２はギャップを利用して同一データを送信し、ＭＳ３はギャップを利用して周波数ｆ１と周波数ｆ２とを切替えつつ、ＢＴＳ１及びＢＴＳ２からの同一データを受信するようにしている。したがって、ＭＳ３においてダイバーシティゲインを得ることができ、よって他のＭＳに対する干渉を低減することが可能となる。
【００７７】
なお、以上の説明ではＨＨＯ元ＢＴＳをＢＴＳ１としＨＨＯ先ＢＴＳをＢＴＳ２としているが、ＨＨＯ元ＢＴＳとＨＨＯ先ＢＴＳは同一のＢＴＳであってもよい。
【００７８】
［２］ＢＴＳ１，ＢＴＳ２及びＲＮＣ４から構成される移動通信網側の動作
ＨＨＯ元ＢＴＳとＨＨＯ先ＢＴＳとが同じである場合と、ＨＨＯ元ＢＴＳとＨＨＯ先ＢＴＳとが異なる場合とで、移動通信網側の動作は異なる。
【００７９】
［２−１］ＢＴＳ１がＨＨＯ元ＢＴＳでありＨＨＯ先ＢＴＳでもある場合（ＢＴＳ内異周波ＨＨＯ）
ＨＨＯ元ＢＴＳ及びＨＨＯ先ＢＴＳがＢＴＳ１である場合（図９ステップＳ１３，Ｙｅｓ）、ＢＴＳ１は、まず、ＳＩＲ（ｈｈｏ＿ｂｔｓ）の初期化を行なう（図９ステップＳ１４）。次に、ＢＴＳ１は、図６に示したように、ＲＮＣ４から通知された新たなコンプレストモードパターンに従って周波数ｆ１と周波数ｆ２を用いてデータの送受信を行ない、ＭＳ３とＢＴＳ１間の周波数ｆ１を用いた上りリンクのＴＰＣ及びＭＳ３とＢＴＳ１間の周波数ｆ２を用いた上りリンクのＴＰＣの各々が、ＳＩＲ（ｈｈｏ＿ｂｔｓ）をｔａｒｇｅｔ　ＳＩＲとして各タイムスロット毎に行なわれる（図９ステップＳ１５）。
【００８０】
すなわち、ＢＴＳ１は、ＳＩＲ（ｈｈｏ＿ｂｔｓ）及びＭＳ３から周波数ｆ１を用いて送信されたデータの受信ＳＩＲに基づいてＴＰＣビットをＭＳ３へ送信し、また、ＳＩＲ（ｈｈｏ＿ｂｔｓ）及びＭＳ３から周波数ｆ２を用いて送信されたデータの受信ＳＩＲに基づいてＴＰＣビットをＭＳ３へ送信する。ＭＳ３は、ＢＴＳ１からのＴＰＣビットに従って、周波数ｆ１及び周波数ｆ２を用いてＢＴＳ１に送信するデータの送信電力を制御する。
【００８１】
ＢＴＳ１は、ＭＳ３から周波数ｆ１及びｆ２の各々を用いて送信される１フレーム分のデータを受信すると（図９ステップＳ１６，Ｙｅｓ）、ＳＩＲ（ｈｈｏ＿ｂｔｓ）の値を変更する手順に移行する。ただし、ＭＳ３から周波数ｆ２を用いて送信されるデータに対して同期が確立していない場合は、ＳＩＲ（ｈｈｏ＿ｂｔｓ）の値の変更を行なわない　（図９ステップＳ１７，Ｎｏ）。
【００８２】
ＭＳ３から周波数ｆ２を用いて送信されるデータに対して同期が確立しているならば　（図９ステップＳ１７，Ｙｅｓ）、ＢＴＳ１は、図６に示したように、周波数ｆ１及び周波数ｆ２を用いて受信された互いに同一のデータをサーチ・復号部１２において合成（例えば、最大比合成）し、合成された１フレーム分のデータを基に受信ＳＩＲ（＝ＳＩＲ　（ｄｖ＿ｂｔｓ））を算出する（図９ステップＳ１８）。
【００８３】
そして、ＢＴＳ１は、ＳＩＲ（ｄｖ＿ｂｔｓ）とＳＩＲ（ｂｔｓ）の差であるＧａｉｎ（ｂｔｓ）を算出する（図９ステップＳ１９）。ＢＴＳ１は、Ｇａｉｎ（ｂｔｓ）を、周波数ｆ１及び周波数ｆ２を用いて互いに同一のデータを受信することにより得られたダイバーシティゲインと考え、ＳＩＲ（ｈｈｏ＿ｂｔｓ）の値を更新する（図９ステップＳ２０）。以降、ＢＴＳ１は、周波数間ＨＨＯが終了するまでステップＳ１５〜ステップＳ２０の動作を繰り返す（図９ステップＳ２１）。
【００８４】
このように、周波数間ＨＨＯの際、ＭＳ３はギャップを利用して周波数ｆ１と周波数ｆ２とを切替えつつ、同一データを周波数ｆ１及び周波数ｆ２にてＢＴＳ１へ送信し、ＢＴＳ１はＭＳ３から周波数ｆ１及び周波数ｆ２を用いて送信された互いに同一のデータを受信するようにしている。したがって、ＢＴＳ１においてダイバーシティゲインを得ることができ、よって干渉を低減することが可能となる。
【００８５】
［２−２］ＨＨＯ元ＢＴＳとＨＨＯ先ＢＴＳが異なる場合（ＢＴＳ間異周波ＨＨＯ）
ＨＨＯ元ＢＴＳがＢＴＳ１でありＨＨＯ先ＢＴＳがＢＴＳ２である場合（図９ステップＳ１３，Ｎｏ）、まず、ＢＴＳ１，ＢＴＳ２及びＲＮＣ４にて各変数の初期化を行なう（図１０ステップＳ２２，図１１ステップＳ２５）。そして、ＢＴＳ１及びＢＴＳ２は、ＲＮＣ４から通知された新たなコンプレストモードパターンに従ってデータの送受信を行ない、ＭＳ３とＢＴＳ１間の上りリンクのＴＰＣ及びＭＳ３とＢＴＳ２間の上りリンクのＴＰＣがそれぞれ、ＳＩＲ（ｈｈｏ＿ｂｔｓ１）及びＳＩＲ（ｈｈｏ＿ｂｔｓ２）をｔａｒｇｅｔ　ＳＩＲとして各タイムスロット毎に行なわれる（図１０ステップＳ２３）。
【００８６】
すなわち、ＢＴＳ１は、ＳＩＲ（ｈｈｏ＿ｂｔｓ１）及びＭＳ３からのデータの受信ＳＩＲに基づいてＴＰＣビットをＭＳ３へ送信し、また、ＢＴＳ２は、ＳＩＲ（ｈｈｏ＿ｂｔｓ２）及びＭＳ３からのデータの受信ＳＩＲに基づいてＴＰＣビットをＭＳ３へ送信する。ＭＳ３は、ＢＴＳ１及びＢＴＳ２からのＴＰＣビットに従って、ＢＴＳ１及びＢＴＳ２に送信するデータの送信電力を制御する。
【００８７】
ＢＴＳ１及びＢＴＳ２の各々は、ＭＳ３からの受信データを、そのデータに対する受信感度情報と共にＲＮＣ４へ送信する（図１０ステップＳ２４）。ＲＮＣ４は、図７に示したように、ＢＴＳ１及びＢＴＳ２から通知された受信感度情報を基にＢＴＳ１からの１選択単位期間分のデータ及びＢＴＳ２からの１選択単位期間分のデータのうち受信感度の良い方のデータを選択合成部３１により選択する（図１１ステップＳ２６）。そして、Δ　（ｂｔｓ１）及びΔ（ｂｔｓ２）の値を変更する手順に移行する。ただし、ＢＴＳ２においてＭＳ３からのデータに対して同期が確立していない場合は（図１１ステップＳ２７，Ｎｏ）、Δ（ｂｔ１）及びΔ（ｂｔｓ２）の各々の値は初期値（＝０）のままで、変更しない。
【００８８】
ＢＴＳ２においてＭＳ３からのデータに対して同期が確立しているならば（図１１ステップＳ２７，Ｙｅｓ）、ＲＮＣ４は、過去Ｎ　選択単位区間内においてＢＴＳ１からのデータを選択した回数Ｎ１及びＢＴＳ２からのデータを選択した回数Ｎ２を算出する（図１１ステップＳ２８〜ステップＳ３１）。
【００８９】
すなわち、ＲＮＣ４は、ステップＳ２６における選択合成により選択されたデータがＢＴＳ１からのデータであれば（図１１ステップＳ２８，Ｙｅｓ）、ｎ１［Ｎ−１］の値を１としｎ２［Ｎ−１］の値を０とする（図１１ステップＳ２９）。一方、ステップＳ２６における選択合成により選択されたデータがＢＴＳ２からのデータであれば（図１１ステップＳ２８，Ｎｏ）、ｎ１［Ｎ−１］の値を０としｎ２［Ｎ−１］の値を１とする（図１１ステップＳ３０）。そして、ＲＮＣ４は、ｎ１［ｉ］及びｎ２［ｉ］を基にＮ１及びＮ２を算出する（図１１ステップＳ３１）。
【００９０】
次に、ＲＮＣ４は、過去Ｎ　選択単位区間内においてデータが選択された回数が大きいＢＴＳのｔａｒｇｅｔ　ＳＩＲの値が大きくなり、データが選択された回数が小さいＢＴＳのｔａｒｇｅｔ　ＳＩＲの値が小さくなるように、Δ（ｂｔｓ１）及びΔ（ｂｔｓ２）を算出する（図１１ステップＳ３２）。ただし、この算出に使用される関数ｆ　［ｘ　］の特性は、単調増加関数であり、例えば図１４に示したような特性となる。
【００９１】
ＲＮＣ４は、ｎ１［ｉ］及びｎ２［ｉ］を更新し（図１１ステップＳ３３）、そして、ＲＮＣ４は現在、反映区間、非反映区間のいずれであるかを検査する（図１２ステップＳ３４）。すなわち、ｃｎｔ１の値がＭ１以上であれば、現在、非反映区間であり、ｃｎｔ１の値がＭ１より小であれば、現在、反映区間である。
【００９２】
反映区間であれば（図１２ステップＳ３４，Ｙｅｓ）、ＲＮＣ４はｃｎｔ１の値を１増加させた後（図１２ステップＳ３５）、ステップＳ４０へ移行する。一方、非反映区間であれば（図１２ステップＳ３４，Ｎｏ）、ＲＮＣ４はΔ（ｂｔｓ１）及びΔ（ｂｔｓ２）の各値を０にする（図１２ステップＳ３６）。
【００９３】
そして、ＲＮＣ４は次の選択単位区間が反映区間、非反映区間のいずれであるかを検査する（図１２ステップＳ３７）。すなわち、ｃｎｔ２の値がＭ２以上であれば、次の選択単位区間は反映区間であり、ｃｎｔ２の値がＭ２より小であれば、次の選択単位区間も非反映区間である。
【００９４】
次の選択単位区間も非反映区間であれば（図１２ステップＳ３７，Ｙｅｓ）、ＲＮＣ４はｃｎｔ２の値を１増加させた後（図１２ステップＳ３８）、ステップＳ４０へ移行する。一方、次の選択単位区間が反映区間であれば（図１２ステップＳ３７，Ｎｏ）、ＲＮＣ４はｃｎｔ１及びｃｎｔ２の各値を０にした後（図１２ステップＳ３９）、ステップＳ４０へ移行する。
【００９５】
ＲＮＣ４は、Δ（ｂｔｓ１）及びΔ（ｂｔｓ２）をそれぞれＢＴＳ１及びＢＴＳ２へ通知する（図１１ステップＳ４０）。ＢＴＳ１はＲＮＣ４からのΔ（ｂｔｓ１）を使用してＳＩＲ（ｈｈｏ＿ｂｔｓ１）を更新し、ＢＴＳ２はＲＮＣ４からのΔ（ｂｔｓ２）を使用してＳＩＲ（ｈｈｏ＿ｂｔｓ２）を更新する（図１０ステップＳ４１）。以降、移動通信網側は、周波数間ＨＨＯが終了するまでステップＳ２３〜ステップＳ４１の動作を繰り返す（図１０ステップＳ４２、図１１ステップＳ４３）。
【００９６】
なお、上記ステップＳ２３〜ステップＳ４１に従ったＢＴＳ１及びＢＴＳ２のｔａｒｇｅｔ　ＳＩＲ（ＳＩＲ（ｈｈｏ＿ｂｔｓ１）及びＳＩＲ（ｈｈｏ＿ｂｔｓ２））の挙動例が図１３に示されている。図１３に示したように、非反映区間では、Δ（ｂｔｓ１）及びΔ（ｂｔｓ１）の値は共に０であるので、ＢＴＳ１及びＢＴＳ２のｔａｒｇｅｔ　ＳＩＲは共にＳＩＲ（ｂｔｓ）となる。一方、反映区間では、Ｎ１及びＮ２の値の変化に応じて各ｔａｒｇｅｔ　ＳＩＲは変化する。
【００９７】
反映区間において行なわれるＢＴＳ１及びＢＴＳ２のｔａｒｇｅｔ　ＳＩＲの可変制御は、データが選択された回数が大きいＢＴＳの受信特性がデータが選択された回数が小さいＢＴＳの受信特性より良いと推定することにより、受信特性の良いＢＴＳのｔａｒｇｅｔ　ＳＩＲを高くし、受信特性の悪いＢＴＳのｔａｒｇｅｔ　ＳＩＲを低くするものである。したがって、ＢＴＳ１及びＢＴＳ２間の受信特性差がもともと大きい場合、時間の経過と共に、本来の受信特性の差以上にｔａｒｇｅｔ　ＳＩＲの差が開いていく傾向がある（図１３参照）。そこで、定期的に非反映区間を設けることにより、本来の受信特性の差以上にｔａｒｇｅｔ　ＳＩＲの差が開くことを抑制している。
【００９８】
なお、図８〜図１２に示したフローチャートに従ったＢＴＳ１，ＢＴＳ２，ＭＳ３及びＲＮＣ４各々の処理動作は、予めＲＯＭ等の記憶媒体に格納されたプログラムを、ＣＰＵ（制御部）となるコンピュータに読み取らせて実行せしめることにより、実現できることは勿論である。
【００９９】
【発明の効果】
本発明による効果は、周波数間ＨＯ（ハンドオーバ）を円滑かつ安定して行うことができることである。その理由は、ＨＯ先基地局が、ギャップにおいて、ＨＯ元基地局がＨＯ元周波数にて移動局に送信するデータと同一のデータをＨＯ先周波数にて移動局に送信し、また、移動局が、ギャップにおいて周波数をＨＯ元周波数からＨＯ先周波数に切替えることにより、移動局がＨＯ元基地局へＨＯ元周波数にて送信するデータと同一のデータをＨＯ先基地局に送信するようにしているためである。
【図面の簡単な説明】
【図１】本発明の実施例による移動通信システムの構成を示す図である。
【図２】図１に示したＢＴＳの構成を示す図である。
【図３】図１に示したＭＳの構成を示す図である。
【図４】図１に示したＲＮＣの構成を示す図である。
【図５】本発明の実施例による移動通信システムの動作を示すタイミングチャートである。
【図６】本発明の実施例による移動通信システムの動作を示すタイミングチャートである。
【図７】本発明の実施例による移動通信システムの動作を示すタイミングチャートである。
【図８】本発明の実施例による移動通信システムの動作を示すフローチャートである。
【図９】本発明の実施例による移動通信システムの動作を示すフローチャートである。
【図１０】本発明の実施例による移動通信システムの動作を示すフローチャートである。
【図１１】本発明の実施例による移動通信システムの動作を示すフローチャートである。
【図１２】本発明の実施例による移動通信システムの動作を示すフローチャートである。
【図１３】図１０〜図１２に示したフローチャートに従ったｔａｒｇｅｔ　ＳＩＲ（ＳＩＲ（ｈｈｏ＿ｂｔｓ１）及びＳＩＲ（ｈｈｏ＿ｂｔｓ２））の変化の例を示す図である。
【図１４】関数ｆ［ｘ］の特性例を示す図である。
【図１５】（ａ）〜（ｃ）は周波数間ＨＨＯについて説明するための図である。
【図１６】周波数間ＨＨＯの動作について説明するためのタイミングチャートである。
【符号の説明】
１，２　　ＢＴＳ
３　　ＭＳ
４　　ＲＮＣ
１１，２１　　受信部
１２，２２　　サーチ・復号部
１３　　上り信号監視部
１４，２４　　ＨＨＯ制御部
１５，２５　　ＬＯ
１６，２６　　送信部
２３　　下り信号監視部
３１　　選択合成部
３２　　制御部
３３，３４　　Ｉ／Ｆ
【図１】
2004088522.tif 000003
【図２】
2004088522.tif 000004
【図３】
2004088522.tif 000005
【図４】
2004088522.tif 000006
【図５】
2004088522.tif 000007
【図６】
2004088522.tif 000008
【図７】
2004088522.tif 000009
【図８】
2004088522.tif 000010
【図９】
2004088522.tif 000011
【図１０】
2004088522.tif 000012
【図１１】
2004088522.tif 000013
【図１２】
2004088522.tif 000014
【図１３】
2004088522.tif 000015
【図１４】
2004088522.tif 000016
【図１５】
2004088522.tif 000017
【図１６】
2004088522.tif 000018